(57)【要約】【課題】ゲーム機で使用するメダルの払い出し機や、駐車場の駐車料金精算機のつり銭の払い出し装置や、駐車料金を精算するために投入するメダルの払い出し機等の機器に適用可能なコイン状部材の移送装置として、コスト低減と小型化を図り、また直径の異なるメダルやつり銭にも共用できる移送装置を提供する。【解決手段】入口部に起立状態で導入されたコイン状部材が掻き揚げレバーの回転によって円弧状移送通路を通って出口部から送出される回転式移送部と、出口部から送出されるコイン状部材を上方へ搬送する上方向移送部を備え、進入するコイン状部材を一枚ずつ入口部に一時停止する稼動レバーを備え、稼動レバーは掻き揚げレバーの回転によって一時停止したコイン状部材が押されるとき入口部から退避し、一時停止したコイン状部材の通過にて再び入口部へ進出して後続コイン状部材を入口部に一時停止する関係。【選択図】図１
2008029615.tif 000002
【特許請求の範囲】
【請求項１】
円弧状移送通路の入口部へ向けてコイン状部材が起立状態で転動する入口通路と、前記入口部へ導入された起立状態のコイン状部材が掻き揚げレバーの回転によって前記円弧状移送通路を通って出口部から送出される回転式移送部と、前記出口部から送出されるコイン状部材を起立状態で導入して上方へ搬送する上方向移送部を備え、前記入口通路から進入するコイン状部材を起立状態で一枚ずつ前記入口部に一時停止するようバネ付勢にて前記入口部へ進出する稼動レバーを備え、前記稼動レバーは、回転する前記掻き揚げレバーによって一時停止したコイン状部材が押されるとき前記バネ付勢に抗して前記入口部から退避し、一時停止したコイン状部材の通過にて再び前記入口部へ進出して後続のコイン状部材を前記入口部に一時停止する関係をなすことを特徴とするコイン状部材の移送装置。
【請求項２】
前記入口通路と回転式移送部と上方向移送部は大径コイン状部材と小径コイン状部材に共通であり、前記稼動レバーと共同してコイン状部材を一時停止する停止部が、大径コイン状部材と小径コイン状部材に合わせて前記稼動レバーとの間隔を調整する調整部材で構成されたことを特徴とする請求項１に記載のコイン状部材の移送装置。
【発明の詳細な説明】
【技術分野】
【０００１】
本発明は、コイン状部材を上方向移送部によって所定の場所へ移送するよう構成されたコイン状部材移送装置に関する。
【背景技術】
【０００２】
先行技術として、遊技機１０に併設したメダル貸機２０ａ内にメダル搬送装置２０を組み込んだものがあり、メダル搬送装置２０は、メダルを１枚ずつ倒伏姿勢にして送り出す送出機構３０と、送出機構３０から送られるメダルを倒伏姿勢から起立姿勢にする起立機構４０と、起立機構４０から送られるメダルを起立姿勢に維持しながらメダルを揚送して投入口に直接投入する揚送機構５０とを備えている。（例えば、特許文献１参照）。
【特許文献１】特開２００５−１１０７７５号公報
【発明の開示】
【発明が解決しようとする課題】
【０００３】
この特許文献１のものは、遊技機１０に併設したメダル貸機２０ａ内にメダル搬送装置２０を組み込んだものがあり、駆動機構６０のモータの駆動によって、それぞれ関連づけた複数の歯車を介して、揚送機構５０のスクリュー部材５４と、送出機構３０の送り部材３５と、起立機構４０の羽根部材４４を回転させるものである。
【０００４】
本発明は、特許文献１のように、遊技機に併設したメダル貸機内に組み込んだメダル搬送装置ではなく、ゲームセンター等に設置されるゲーム機で使用するメダルの払い出し機や、駐車場の駐車料金精算機のつり銭の払い出し装置や、駐車料金を精算するために投入するメダルを駐車場に入場した際に受け取る駐車メダルの払い出し機等に使用するために、コスト低減を図ると共に、小型化に適した移送装置を提供するものである。また、直径の異なるメダルやつり銭にも簡単な調整によって共用できる移送装置を提供するものである。
【課題を解決するための手段】
【０００５】
第１発明のコイン状部材の移送装置は、円弧状移送通路の入口部へ向けてコイン状部材が起立状態で転動する入口通路と、前記入口部へ導入された起立状態のコイン状部材が掻き揚げレバーの回転によって前記円弧状移送通路を通って出口部から送出される回転式移送部と、前記出口部から送出されるコイン状部材を起立状態で導入して上方へ搬送する上方向移送部を備え、前記入口通路から進入するコイン状部材を起立状態で一枚ずつ前記入口部に一時停止するようバネ付勢にて前記入口部へ進出する稼動レバーを備え、前記稼動レバーは、回転する前記掻き揚げレバーによって一時停止したコイン状部材が押されるとき前記バネ付勢に抗して前記入口部から退避し、一時停止したコイン状部材の通過にて再び前記入口部へ進出して後続のコイン状部材を前記入口部に一時停止する関係をなすことを特徴とする。
【０００６】
第２発明は、第１発明のコイン状部材の移送装置において、前記入口通路と回転式移送部と上方向移送部は大径コイン状部材と小径コイン状部材に共通であり、前記稼動レバーと共同してコイン状部材を一時停止する停止部が、大径コイン状部材と小径コイン状部材に合わせて前記稼動レバーとの間隔を調整する調整部材で構成されたことを特徴とする。
【発明の効果】
【０００７】
第１の発明では、円弧状移送通路の入口部へコイン状部材を導入するのは、コイン状部材が転動する入口通路であり、入口通路の構成が簡単である。そして、入口通路から進入するコイン状部材は、起立状態で一枚ずつ稼動レバーによって一時停止し、一時停止のコイン状部材は、掻き揚げレバーの回転によって起立状態で円弧状移送通路を移送されると共に、後続のコイン状部材は稼動レバーによって一時停止されるため、コイン状部材は一枚ずつ確実に移送できることとなる。このため、掻き揚げレバーによって一時停止のコイン状部材が円弧状移送通路へ移動しない限り、後続のコイン状部材は円弧状移送通路へ移動できないため、コイン状部材が２枚同時に移送される虞はなく、移送タイミングが取り易く、簡単な構成によって安定した移送が行なえるものとなる。このため、コスト低減が図れると共に、小型化に適した移送装置が提供できるものとなる。
【０００８】
第２の発明では、稼動レバーと共同してコイン状部材を一時停止する停止部が、稼動レバーとの間隔を調整する調整部材によって構成されるため、この調整部材の調整によって、大径コイン状部材と小径コイン状部材の両方に対して、共通の円弧状移送通路でもって移送できる回転式移送部とすることができ、第１の発明の効果に加えて、コスト低減が図れるものとなる。
【発明を実施するための最良の形態】
【０００９】
本発明のコイン状部材の移送装置は、円弧状移送通路の入口部へ向けてコイン状部材が起立状態で転動する入口通路と、前記入口部へ導入された起立状態のコイン状部材が掻き揚げレバーの回転によって前記円弧状移送通路を通って出口部から送出される回転式移送部と、前記出口部から送出されるコイン状部材を起立状態で導入して上方へ搬送する上方向移送部を備え、前記入口通路から進入するコイン状部材を起立状態で一枚ずつ前記入口部に一時停止するようバネ付勢にて前記入口部へ進出する稼動レバーを備え、前記稼動レバーは、回転する前記掻き揚げレバーによって一時停止したコイン状部材が押されるとき前記バネ付勢に抗して前記入口部から退避し、一時停止したコイン状部材の通過にて再び前記入口部へ進出して後続のコイン状部材を前記入口部に一時停止する関係をなすものである。本発明の実施例を以下に記載する。
【実施例１】
【００１０】
本発明は、ゲームセンター等に設置されるゲーム機で使用するメダルの払い出し機や、駐車場の駐車料金精算機のつり銭の払い出し装置や、駐車料金を精算するために投入するメダルを駐車場に入場した際に受け取る駐車メダルの払い出し機等の機器に適用可能なコイン状部材の移送装置に関する。
【００１１】
前記ゲーム機、駐車メダルの払い出し機等の機器においては、通貨である円形状硬貨や前記薄片をこれらの機器の投入口へ投入して、メダルの払い出しを受ける。また、前記駐車料金精算機においては、精算時に通貨である円形状硬貨や前記薄片をこの駐車料金精算機の投入口へ投入し、必要なつり銭を受け取る。この場合、メダルの受け取り口やつり銭の受け取り口が、機器によって異なり、顧客が使い易い位置や遊技心をそそる位置に形成されるため、その機器の下部に設けたメダル貯蔵部やつり銭貯蔵部から、機器の上部のメダル払い出し口やつり銭払い出し口へ、メダルやつり銭を移送することが必要な場合が生じる。本発明は、このような場合に適用可能なコイン状部材の移送装置を提供するものである。
【００１２】
本発明において、コイン状部材とは、一般通貨であるコイン（円形状硬貨）、及び一般通貨ではないが特定区域内で貨幣価値物として適用される特定コイン（円形状硬貨価値物）、ゲーム機や駐車場機器などに使用される円形状メダル等を含めた総称であり、以下に示す実施例では、コイン状部材を前記駐車メダルの払い出し機等で使用するメダルとして記載する。
【００１３】
図１は本発明に係るコイン状部材の移送装置の回転式移送部の内部構成を正面から見た説明図、図２は本発明に係るコイン状部材の送出装置の全体の内部構成を正面から見た説明図、図３は本発明に係る上方向移送部の下部の構成を示す説明図、図４は本発明に係る回転式移送部の駆動機構部を示す説明図である。
【００１４】
本発明に係る釣り銭の移送装置１は、入口部へ導入されたコイン状部材の一つであるメダル１０が掻き揚げレバーの回転によって前記円弧状移送通路を通って出口部から送出される回転式移送部と、前記入口部へ向けて釣り銭が転動する入口通路と、前記出口部から送出される釣り銭を導入して上方へ搬送する螺旋体を備えた上方向移送部を備え、前記入口通路から進入するメダルを一枚ずつ前記入口部に一時停止するようバネ付勢にて前記入口部へ進出する稼動レバーを備えている。
【００１５】
以下、コイン状部材の一つであるメダル１０の移送装置１の具体的構成について説明する。図１において、略垂直状態に配置された基体３をベースとして回転式移送部２が形成されている。基体３は前面板３Ａと裏板３Ｂを備え、回転式移送部２は、基体３の前面板３Ａと裏板３Ｂ間となる基体３内に、円形の一部分をなすように形成した円弧状移送通路４を形成している。円弧状移送通路４は、上弦の弧状をなし、その一端側の入口部５から他端側の出口部６へ向けて１枚のメダル１０が起立状態で円弧状に移動する通路形成である。
【００１６】
更に、回転式移送部２は、入口部５へ導入されたメダル１０を円弧状移送通路４を通って出口部６へ移送するための掻き揚げレバー７を備えている。掻き揚げレバー７は、円弧状移送通路４の円弧の中心部において基体３を貫通した回転軸８によって一方向へ回転するように構成され、回転軸８は基体３の裏側に取り付けた電動機９と、それによって回転する歯車機構１１を介して所定の回転速度（例えば、１秒間に６回転）で回転する。掻き揚げレバー７は、基体３の表側から基体３の前面板３Ａに形成した円形状孔１２を通って円弧状移送通路４内へ作用腕７Ａが延びている。作動腕７Ａは、メダル１０を安定して円弧状移送通路４中を移送するために、通路４の幅Ｙの略中央部を回転軌跡とする位置に設けられている。これによって、略メダル１０の直径対応部分が作動腕７Ａによって押されるため、安定した移送が達成できる。掻き揚げレバー７の回転途中の状態は、図１に二点鎖線で示す。電動機９は基体３の裏板３Ｂにネジ止めされる取り付け部材９Ａによって、基体３の裏板３Ｂに取り付けられ、電動機９と歯車機構１１は、基体３の裏板３Ｂにネジ止めされるボックス３Ｃ内に収納された状態である。
【００１７】
円弧状移送通路４の入口部５には、入口部５へ向けてメダル１０が起立状態で転動にて導入されるように傾斜した入口通路１３が設けられている。この入口通路１３は、メダル１０が起立状態でその外周面がレール１４上を転がって入口部５へ進入できる寸法である。入口通路１３は、円弧状移送通路４とのマッチングを取り易くするために、基体３の前面板３Ａと裏板３Ｂとの間に形成されている。入口通路１３へ導入されるメダル１０は、機器内に投入されたメダル又は、機器内の他の装置から導入されるメダルである。
【００１８】
円弧状移送通路４の出口部６には、下端部に形成した導入部１６が連通するように、上方向移送部１５が略垂直状態に設けられている。上方向移送部１５は、直線状に延びたケース１７内に螺旋体１８が一方向に回転するように配置され、下端部にメダル１０の導入部１６を備え、上端部にはメダル１０の出口部１９を備えている。螺旋体１８は、電動機９と、それによって回転する平歯車や傘歯車を含む歯車機構１１を介して、稼動レバー２０の回転と同期して回転する。
【００１９】
入口部５には、入口通路１３から起立状態で進入するメダル１０を一枚ずつ入口部５に一時停止するための稼動レバー２０を備えている。稼動レバー２０は、基部を回動可能に軸２１で基体３に支持され、先端の作用部２０Ａが入口部５の所定位置へ進出するように、バネ２２で付勢されている。作用部２０Ａが入口部５の所定位置へ進出する位置は、稼動レバー２０の一部が基体３のストッパ部（図示せず）に当接することによって定められる。これによって、入口部５は、稼動レバー２０の作用部２０Ａと、作用部２０Ａと対抗配置の停止部２３との間隔Ｔによって制限されている。即ち、バネ２２の付勢で入口部５へ進出した作用部２０Ａと停止部２３との間隔Ｔは、メダル１０の直径よりも若干小さく、そのため、入口通路１３から転動にて進入するメダル１０は、作用部２０Ａと停止部２３とによって、その場に起立状態で一時停止される。
【００２０】
作用部２０Ａと停止部２３とによって一時停止されたメダル１０は、回転する掻き揚げレバー７によって押されることによって、図１に点線で示すように、バネ２２の付勢力に抗して作用部２０Ａが入口部５から退避するように稼動レバー２０を回動させる。これによって作用部２０Ａと停止部２３との間隔Ｔが広がり、一時停止していたメダル１０は、起立状態でこの間隔Ｔを通過して円弧状移送通路４を通り出口部６へ移送される。そして、一時停止していたメダル１０の通過によって、稼動レバー２０はバネ２２の付勢によって作用部２０Ａが再び入口部５へ進出し、入口通路１３から進入する後続のメダル１０を入口部５に一時停止するように動作する。入口通路１３から入口部５へ進入するメダル１０に対して、このような動作が連続して行なわれることによって、回転式移送部２によってメダル１０が１枚ずつ出口部６へ移送される。
【００２１】
作用部２０Ａは、稼動レバー２０の先端の軸２０Ｂに回転自在に取り付けたローラ２０Ｃによって構成することにより、メダル１０は、掻き揚げレバー７によって押されて、作用部２０Ａと停止部２３との間隔Ｔを広げつつ送り出される際の抵抗が少なく、安定動作が得られる。
【００２２】
このようにして、起立状態で出口部６へ移送されたメダル１０は、掻き揚げレバー７の回転と同期して回転する螺旋体１８の回転によって、導入部１６において作動腕７Ａの外周面によって支えられた状態（この状態は、図１に掻き揚げレバー７の位置を二点鎖線で示す）でもって上昇しつつ、起立状態のまま螺旋体１８の下端で掬い上げられ、螺旋体１８が収納されたケース１７内の壁に沿って、螺旋体１８の回転に伴って起立状態で上昇し、出口部１９から送出される。
【００２３】
本発明では、移送装置１を大径コイン状部材と小径コイン状部材に共通とするために、入口通路１３と、回転式移送部２と、上方向移送部１５は、大径コイン状部材と小径コイン状部材に共通である。ここで、直径２１ｍｍの小径メダル１０Ａと直径２６ｍｍの大径メダル１０Ｂが適用可能なメダル１０として記載する。
【００２４】
このため、入口通路１３は、小径メダル１０Ａと大径メダル１０Ｂのいずれも転動可能である。また、円弧状移送通路４は、小径メダル１０Ａと大径メダル１０Ｂのいずれも、起立状態で移送される通路構成である。このため、通路４の幅Ｙは、適用される大径メダル１０Ｂの直径よりも若干大きい寸法であり、厚さ（図１の紙面に直角方向の寸法）は、小径メダル１０Ａと大径メダル１０Ｂのいずれの厚さよりも若干大きい寸法である。そして、メダル１０を一時停止する間隔Ｔを形成する停止部２３は、大径メダル１０Ｂと小径メダル１０Ａに合わせて、稼動レバー２０との間隔Ｔを調整する調整部材２５で構成されている。
【００２５】
調整部材２５は、基体３にネジ２６によって取り付けられ、移送装置１を大径メダル１０Ｂとする場合は、図１の実線位置２５Ａに固定する。これによって、大径メダル１０Ｂよりも若干小さい間隔Ｔが定められ、入口通路１３から転動にて進入する大径メダル１０Ｂは、調整部材２５の先端部の停止部２３と作用部２０Ａとによって、その場に起立状態で一時停止され、以後、上記同様にして、回転する掻き揚げレバー７によって出口部６へ移送される。
【００２６】
また、移送装置１を小径メダル１０Ａとする場合は、調整部材２５は、図１の実線位置２５Ｂに固定する。これによって、小径メダル１０Ａよりも若干小さい間隔Ｔが定められ、入口通路１３から転動にて進入する小径メダル１０Ａは、調整部材２５の先端部の停止部２３と作用部２０Ａとによって、その場に起立状態で一時停止され、以後、上記同様にして、回転する掻き揚げレバー７によって出口部６へ移送される。
【００２７】
このように、調整部材２５は、基体３にネジ２６によって固定位置を可変できる取り付けである。このため、基体３に対する調整部材２５の固定位置を定めるための目印を付しておけば、便利である。例えば、小径メダル１０Ａ用の固定位置を示す矢印などを基体３に表示し、大径メダル１０Ｂ用の固定位置を示す矢印などを基体３に表示する。
【００２８】
図２に示す掻き揚げレバー７は、基体３の表側から基体３の前面板３Ａに形成した円弧状孔１２を通って円弧状移送通路４内へ延びた３個の作用腕７Ａ、７Ｂ、７Ｃを形成した形態である。作用腕７Ａ、７Ｂ、７Ｃは、それぞれ１２０度間隔に配置され、作用腕７Ａ、７Ｂ、７Ｃの間には、１枚の小径メダル１０Ａ又は１枚の大径メダル１０Ｂが配置される形態である。
【００２９】
上記では、直径２１ｍｍの小径メダル１０Ａと直径２６ｍｍの大径メダル１０Ｂについて記載したが、その他の直径のメダルについても同様である。また、駐車料金精算機から払い出すつり銭に付いても、上記同様に構成できる。この場合、つり銭として、１００円硬貨のみを払い出す場合と、上記のように調整部材２５の位置を変更することにより、１００円硬貨と５０円硬貨のいずれかを払い出すように、移送装置１を設定することができる。
【００３０】
本発明の移送装置１は、駐車場に設置された駐車料金の精算や支払いなどに使用される機器内に設置されたコイン状部材の移送装置として適する。即ち、駐車場に入場する際に、乗車したままで運転者がメダルの貸与を受け、駐車場を退場する際に乗車したままで運転者がメダルを投入して、清算し釣り銭を受け取る場合、そのメダルや釣り銭の受け取りがし易い位置までメダルや釣り銭をリフトアップする機構として有効である。
【産業上の利用可能性】
【００３１】
本発明は、上記実施形態に限定されず、本発明の技術的範囲を逸脱しない限り種々の変更が考えられ、それに係る種種の実施形態を包含するものである。
【図面の簡単な説明】
【００３２】
【図１】本発明に係るコイン状部材の移送装置の回転式移送部の内部構成を正面から見た説明図である。（実施例１）
【図２】本発明に係るコイン状部材の送出装置の全体の内部構成を正面から見た説明図である。（実施例１）
【図３】本発明に係る上方向移送部の下部の構成を示す説明図である。（実施例１）
【図４】本発明に係る回転式移送部の駆動機構部を示す説明図である。（実施例１）
【符号の説明】
【００３３】
１・・・・移送装置
２・・・・回転式移送部
３・・・・基体
４・・・・円弧状移送通路
５・・・・入口部
６・・・・出口部
７・・・・掻き揚げレバー
７Ａ・・・作動腕
８・・・・回転軸
９・・・・電動機
１０・・・メダル
１０Ａ・・小径メダル
１０Ｂ・・大径メダル
１１・・・歯車機構
１３・・・入口通路
１４・・・レール部
１５・・・上方向移送部
１６・・・導入部
１７・・・ケース
１８・・・螺旋体
１９・・・出口部
２０・・・稼動レバー
２１・・・軸
２２・・・バネ
２３・・・停止部
【図１】
2008029615.tif 000003
【図２】
2008029615.tif 000004
【図３】
2008029615.tif 000005
【図４】
2008029615.tif 000006